(57)【要約】【課題】プレゼンテーション効果を向上させること。【解決手段】本発明では、サーバーコンピューター（２）が、プレゼンテーションの内容に関する分類（プレゼンテーション分類）とプレゼンテーションに要する時間（プレゼンテーション時間）とが設定された複数のプレゼンテーション用の要素データを予め用意し、クライアントコンピューター（３）から希望するプレゼンテーションの内容に関する分類（希望分類）と希望するプレゼンテーションに要する時間（希望時間）とが設定されると、希望分類に適したプレゼンテーション分類に属する複数の要素データをプレゼンテーション時間の合計が希望時間に適するように選択し、その複数の要素データからなるプレゼンテーション用データを生成してクライアントコンピューター（３）に提供することにした。【選択図】図４
2019185387.tif 000002
【特許請求の範囲】
【請求項１】
サーバーコンピューターからクライアントコンピューターにプレゼンテーション用データを生成して提供するプレゼンテーション用データ提供システムにおいて、
サーバーコンピューターは、プレゼンテーションの内容に関する分類（プレゼンテーション分類）とプレゼンテーションに要する時間（プレゼンテーション時間）とが設定された複数のプレゼンテーション用の要素データを予め用意し、クライアントコンピューターから希望するプレゼンテーションの内容に関する分類（希望分類）と希望するプレゼンテーションに要する時間（希望時間）とが設定されると、希望分類に適したプレゼンテーション分類に属する複数の要素データをプレゼンテーション時間の合計が希望時間に適するように選択し、その複数の要素データからなるプレゼンテーション用データを生成してクライアントコンピューターに提供することを特徴とするプレゼンテーション用データ提供システム。
【請求項２】
サーバーコンピューターは、クライアントコンピューターからユーザーに関するデータ（ユーザーデータ）が設定されると、そのユーザーデータに基づいて要素データを選択することを特徴とする請求項１に記載のプレゼンテーション用データ提供システム。
【請求項３】
サーバーコンピューターは、クライアントコンピューターから要素データの順番の変更が設定されると、その変更された順番でプレゼンテーション用データを生成することを特徴とする請求項１又は請求項２に記載のプレゼンテーション用データ提供システム。
【発明の詳細な説明】
【技術分野】
【０００１】
本発明は、サーバーコンピューターからクライアントコンピューターにプレゼンテーション用データを生成して提供するプレゼンテーション用データ提供システムに関するものである。
【背景技術】
【０００２】
従来より、商品やサービスや企業の内容を広く説明するために、資料（動画像や静止画像）と音声とを用いたプレゼンテーションが行われている。
【０００３】
このプレゼンテーションは、特定の会場に聴衆を集め、聴衆に向けて説明者が動画像や静止画像を提示しながら説明を行う形態のものが多く行われている。
【０００４】
また、近年では、説明者が行うプレゼンテーションを撮影し、その映像、すなわち、説明に用いる動画像や静止画像と説明のための音声とからなるデータ（プレゼンテーション用データ）を電子通信回線網を介して接続されたコンピューターを用いて提供する形態のプレゼンテーションも行われている（たとえば、特許文献１参照。）。
【先行技術文献】
【特許文献】
【０００５】
【特許文献１】特開２０００−２５０３９２号公報
【発明の概要】
【発明が解決しようとする課題】
【０００６】
ところが、上記従来のプレゼンテーション用データをコンピューターを介して提供する形態のプレゼンテーションにおいては、プレゼンテーション用データが一定の動画像や静止画像と音声とで構成されているために、視聴に要する時間（プレゼンテーション用データの再生に要する時間）がそのデータごとに決まっており、その全てを視聴（再生）するようになっている。
【０００７】
そのため、視聴者にとっては、興味のない説明（動画像や静止画像と音声）までも視聴する必要があり、視聴に必要以上の時間を要してしまい、視聴意欲が削がれるものであった。
【課題を解決するための手段】
【０００８】
そこで、請求項１に係る本発明では、サーバーコンピューターからクライアントコンピューターにプレゼンテーション用データを生成して提供するプレゼンテーション用データ提供システムにおいて、サーバーコンピューターは、プレゼンテーションの内容に関する分類（プレゼンテーション分類）とプレゼンテーションに要する時間（プレゼンテーション時間）とが設定された複数のプレゼンテーション用の要素データを予め用意し、クライアントコンピューターから希望するプレゼンテーションの内容に関する分類（希望分類）と希望するプレゼンテーションに要する時間（希望時間）とが設定されると、希望分類に適したプレゼンテーション分類に属する複数の要素データをプレゼンテーション時間の合計が希望時間に適するように選択し、その複数の要素データからなるプレゼンテーション用データを生成してクライアントコンピューターに提供することにした。
【０００９】
また、請求項２に係る本発明では、前記請求項１に係る本発明において、サーバーコンピューターは、クライアントコンピューターからユーザーに関するデータ（ユーザーデータ）が設定されると、そのユーザーデータに基づいて要素データを選択することにした。
【００１０】
また、請求項３に係る本発明では、前記請求項１又は請求項２に係る本発明において、サーバーコンピューターは、クライアントコンピューターから要素データの順番の変更が設定されると、その変更された順番でプレゼンテーション用データを生成することにした。
【発明の効果】
【００１１】
そして、本発明では、以下に記載する効果を奏する。
【００１２】
すなわち、本発明では、ユーザーの希望分類に適したプレゼンテーション分類に属する複数の要素データをプレゼンテーション時間の合計がユーザーの希望時間に適するように選択し、その複数の要素データからなるプレゼンテーション用データを生成することにしているために、ユーザーが希望する分類のプレゼンテーションをユーザーが希望する時間の範囲内で再生することができるプレゼンテーション用データを提供することができる。
【００１３】
そのため、ユーザーが視聴者の場合には、視聴者ごとに好適な視聴時間（再生時間）のプレゼンテーション用データを視聴することができ、また、ユーザーがプレゼンテーションの説明者の場合には、プレゼンテーションの対象者（視聴者）ごとに好適な視聴時間（再生時間）のプレゼンテーション用データを作成することができる。
【００１４】
これにより、プレゼンテーションの視聴に対する意欲を向上させることができ、プレゼンテーション効果を向上させることができる。
【図面の簡単な説明】
【００１５】
【図１】本発明に係るプレゼンテーション用データ提供システムを示す説明図。
【図２】同説明図。
【図３】同説明図。
【図４】同説明図。
【発明を実施するための形態】
【００１６】
以下に、本発明に係るプレゼンテーション用データ提供システムの具体的な構成について図面を参照しながら説明する。
【００１７】
図１に示すように、プレゼンテーション用データ提供システム１は、システムの運営者のコンピューター（サーバーコンピューター２）とシステムのユーザーのコンピューター（クライアントコンピューター３）とシステムにデータを提供するデータ提供者のコンピューター4,5とを電子通信回線網６を介して接続している。ここで、各コンピューター2,3,4,5は、相互に通信可能なコンピューターとしての機能を有していればよく、大型コンピューターやパーソナルコンピューターや携帯端末機などが該当する。また、電子通信回線網６は、有線・無線や専用・汎用を問わず相互の通信が可能な機能を有していればよく、代表例としてインターネットが挙げられる。
【００１８】
このプレゼンテーション用データ提供システム１は、サーバーコンピューター２が、クライアントコンピューター３からの要求に応じて、電子通信回線網６を介してクライアントコンピューター３にプレゼンテーション用データを提供するシステムである。そして、プレゼンテーション用データ提供システム１は、プレゼンテーションで用いられるデータを提供するシステムであり、広くプレゼンテーション用データを取得するために利用されるものである。そのため、プレゼンテーション用データ提供システム１は、プレゼンテーションの視聴者がシステムの利用者であるユーザーとなる場合に限られず、プレゼンテーションを行う説明者（運営者を含む。）がプレゼンテーションで使用するデータを作成する場合などにユーザーとなる場合もある。
【００１９】
ここで、プレゼンテーション用データとは、商品やサービスや企業の内容などを説明（プレゼンテーション）するための電子データを指し、動画像や静止画像などの画像やその画像とそれを説明する音声などが該当する。プレゼンテーション用データ提供システム１では、データ提供者から提供された複数のデータ（要素データ）を組合せてプレゼンテーション用データを作成する。なお、要素データは、プレゼンテーション用データを構成する要素であり、プレゼンテーション用データを細分化したデータともいえ、プレゼンテーション用データと同様に、商品やサービスや企業の内容などを説明（プレゼンテーション）するための電子データを指し、動画像や静止画像などの画像やその画像とそれを説明する音声などが該当する。
【００２０】
このプレゼンテーション用データ提供システム１では、予め多くの（複数の）要素データを蓄積しておく必要がある。
【００２１】
そこで、プレゼンテーション用データ提供システム１は、図２に示すように、データ提供者のコンピューター4,5から要素データがサーバーコンピューター２に提供され、その要素データをサーバーコンピューター２が記憶して要素データベースを構築する。なお、構築された要素データベースは、サーバーコンピューター２に直接記憶する場合に限られず、サーバーコンピューター２から電子通信回線網６等を介してアクセス可能な記憶媒体に記憶してもよい。
【００２２】
また、プレゼンテーション用データ提供システム１は、図２に示すように、データ提供者のコンピューター4,5から要素データの修正をサーバーコンピューター２で受付け、サーバーコンピューター２が既存の要素データを修正後の要素データに変更することもできる。なお、要素データの修正は、その要素データの提供者に限られず、システムの運営者なども行えるようにしてもよい。
【００２３】
ここで、構築される要素データベースは、図４に示すように、複数の要素データから構成されている。各要素データは、プレゼンテーションの内容となる再生データと、その再生データの属性を示す属性データとで構成することにしている。再生データは、動画像のみ、静止画像のみ、動画像と静止画像との組合せ、或は、これらと音声との組合せからなる。属性データは、プレゼンテーション分類やプレゼンテーション時間やプレゼンテーション対象やプレゼンテーション重要度などのデータからなる。プレゼンテーション分類とは、プレゼンテーション（再生データ）の内容に関して分類分けするものであり、一つの分類に限られず、大分類・中分類・小分類などのように複数の分類であってもよく、商品名や会社名などを用いてもよい。プレゼンテーション時間とは、プレゼンテーション（再生データ）の視聴（再生）に要する時間（プレゼンテーション時間）である。プレゼンテーション対象とは、プレゼンテーションの内容からみて好適と考えられる対象者の属性（たとえば、技術者・営業者・学生・消費者など）である。プレゼンテーション重要度とは、プレゼンテーションの内容から考えられる重要度である。これらの再生データや属性データは、データ提供者が作成するものであるが、システムの運営者が属性データを作成したり変更することができるようにしてもよい。
【００２４】
そして、プレゼンテーション用データ提供システム１では、図３に示すように、サーバーコンピュータ２がクライアントコンピューター３からの要求に応じて、プレゼンテーション用データを生成しクライアントコンピューター３に提供する。
【００２５】
その際に、サーバーコンピューター２は、クライアントコンピューター３からユーザーデータと希望分類と希望時間の設定を受付ける。なお、ユーザーデータについては、ユーザーの希望により設定されても設定されなくてもよい。
【００２６】
ここで、ユーザーデータとは、ユーザーに関するデータであり、氏名やＩＤなどの他にユーザーの属性を含む。ユーザーの属性とは、ユーザーを分類分けしたもので、プレゼンテーション対象と同様に分類分けされた属性であり、たとえば、技術者・営業者・学生・消費者などが該当する。ユーザーデータの設定は、クライアントコンピューター３から設定（通知）されたユーザーのＩＤによってサーバーコンピューター２が予め登録されたユーザーデータを設定（認識）するようにしてもよい。また、希望分類とは、ユーザーが希望するプレゼンテーションの内容に関する分類であり、プレゼンテーション分類と同様に分類分けされており、一つの分類に限られず、大分類・中分類・小分類などのように複数の分類であってもよく、商品名や会社名などを用いてもよい。また、希望時間とは、ユーザーが希望するプレゼンテーション（プレゼンテーション用データの再生）に要する時間である。
【００２７】
これらのユーザーデータと希望分類と希望時間の設定を受けてサーバーコンピューター２は、図４に示すように、要素データベースに含まれる複数の要素データの中から、プレゼンテーション対象とユーザーデータのユーザー属性とが一致（完全一致に限られず近似するものを含めてもよい。）し、プレゼンテーション分類と希望分類とが一致（完全一致に限られず近似するものを含めてもよい。）する要素データを抽出する。図４では、模式的に、要素データＡ、要素データＢ、要素データＣ、要素データＤが抽出されており、各要素データのプレゼンテーション時間を横幅の長さで示している。なお、上述した要素データベースから要素データを抽出する方法は一例にすぎず、たとえば、既にユーザーが視聴している要素データ以外から抽出するなど、適宜抽出方法を設定することができる。
【００２８】
次に、サーバーコンピューター２は、抽出された要素データをプレゼンテーション重要度に応じて配列する。図４では、模式的に、要素データＡ、要素データＢ、要素データＤ、要素データＣの順で配列されており、各要素データのプレゼンテーション時間の合計が希望時間を超過していることを示している。
【００２９】
次に、サーバーコンピューター２は、配列された要素データのうちで希望時間を超過している部分の要素データを除去することで、希望時間の範囲内に収まる要素データの配列で構成されたプレゼンテーション用データを生成する。図４では、模式的に、希望時間を超過している要素データＣを除去して、要素データＡ、要素データＢ、要素データＤの順（再生順）で配列されたプレゼンテーション用データＸを生成していることを示している。
【００３０】
プレゼンテーション用データ提供システム１では、サーバーコンピューター２が生成したプレゼンテーション用データをクライアントコンピューター３に提供することで、クライアントコンピューター３でプレゼンテーション用データを構成する要素データを順番に再生したり、プレゼンテーション用データを記憶することができる。
【００３１】
提供されたプレゼンテーション用データは、図３に示すように、サーバーコンピューター２がクライアントコンピューター３から要素データの順番（再生順）の設定を受付けると、設定された順番に要素データが再生されるようにプレゼンテーション用データを変更し、そのプレゼンテーション用データをクライアントコンピューター３に提供する。図４では、模式的に、要素データＢと要素データＤの順番を入れ替えて、要素データＡ、要素データＤ、要素データＢの順（再生順）で配列されたプレゼンテーション用データＹを生成していることを示している。
【００３２】
このように、プレゼンテーション用データ提供システム１では、クライアントコンピューター３からの要求に応じてプレゼンテーション用データを構成する要素データの順番をサーバーコンピューター２が変更することもできる。なお、プレゼンテーション用データを構成する要素データの順番は、サーバーコンピューター２を介さずにクライアントコンピューター３だけで行えるようにしてもよい。
【００３３】
プレゼンテーション用データ提供システム１では、サーバーコンピューター２がクライアントコンピューター３（ユーザー）からの要求によりプレゼンテーション用データを生成した履歴、たとえば、どのようなユーザーがどのような希望分類や希望時間を設定し、その結果、どのような要素データをプレゼンテーション用データとして提供したかなどをデータ提供者のコンピューター4,5に通知するようにしてもよい。
【００３４】
以上に説明したように、上記プレゼンテーション用データ提供システム１は、サーバーコンピューター２が、プレゼンテーションの内容に関する分類（プレゼンテーション分類）とプレゼンテーションに要する時間（プレゼンテーション時間）とが設定された複数のプレゼンテーション用の要素データを予め用意し、クライアントコンピューター３から希望するプレゼンテーションの内容に関する分類（希望分類）と希望するプレゼンテーションに要する時間（希望時間）とが設定されると、希望分類に適したプレゼンテーション分類に属する複数の要素データをプレゼンテーション時間の合計が希望時間に適するように選択し、その複数の要素データからなるプレゼンテーション用データを生成してクライアントコンピューター３に提供するように構成している。
【００３５】
そのため、上記構成のプレゼンテーション用データ提供システム１では、ユーザーの希望分類に適したプレゼンテーション分類に属する複数の要素データをプレゼンテーション時間の合計がユーザーの希望時間に適するように選択し、その複数の要素データからなるプレゼンテーション用データを生成することにしているために、ユーザーが希望する分類のプレゼンテーションをユーザーが希望する時間の範囲内で再生することができるプレゼンテーション用データを提供することができる。
【００３６】
これにより、ユーザーが視聴者の場合には、視聴者ごとに好適な視聴時間（再生時間）のプレゼンテーション用データを視聴することができ、また、ユーザーがプレゼンテーションの説明者の場合には、プレゼンテーションの対象者（視聴者）ごとに好適な視聴時間（再生時間）のプレゼンテーション用データを作成することができる。
【００３７】
このように、上記構成のプレゼンテーション用データ提供システム１では、プレゼンテーションの視聴時間の無駄を軽減するとことができるとともに、視聴に対する意欲を向上させることができるので、ユーザーだけでなくプレゼンテーションのデータを提供するデータ提供者にとってもプレゼンテーション効果を向上させることができる。
【００３８】
特に、上記プレゼンテーション用データ提供システム１において、サーバーコンピューター２が、クライアントコンピューター３からユーザーに関するデータ（ユーザーデータ）が設定されると、そのユーザーデータに基づいて要素データを選択することにした場合には、ユーザーにより一層好適なプレゼンテーション用データを提供することができるようになる。
【００３９】
また、上記プレゼンテーション用データ提供システム１において、サーバーコンピューター２が、クライアントコンピューター３から要素データの順番の変更が設定されると、その変更された順番でプレゼンテーション用データを生成することにした場合にも、ユーザーにより一層好適なプレゼンテーション用データを提供することができるようになる。
【符号の説明】
【００４０】
１  プレゼンテーション用データ提供システム
２  サーバーコンピューター
３  クライアントコンピューター
4,5  データ提供者のコンピューター
６  電子通信回線網
【図１】
2019185387.tif 000003
【図２】
2019185387.tif 000004
【図３】
2019185387.tif 000005
【図４】
2019185387.tif 000006